(57)【要約】【課題】簡易な構造で、戸体が見込み方向に反ることを防止できる反り防止手段を備えた開口部装置を提供する。【解決手段】建物開口部の縁に沿って備えられる枠体と、枠体の内側に配置される戸体２０とを備え、枠体及び戸体２０を固定するピボットヒンジによって戸体がスイング式に開閉可能とされる開口部装置であって、戸体の縦框２３に見付方向外側に延在するように備えられた框側反り防止片２３ａと、縦枠１３に見付方向内側に延在するように備えられた枠側反り防止片１３ａと、を有する反り防止手段を具備し、戸体２０の閉鎖姿勢での室外側からの正面視において、枠側反り防止片１３ａ及び框側反り防止片２３ａが、枠側反り防止片１３ａが手前となって互いの一部が重なるものとする。【選択図】図３
2010222963.tif 000002
【特許請求の範囲】
【請求項１】
建物開口部の縁に沿って備えられる枠体と、該枠体の内側に配置される戸体と、互いに連結可能とされるピボット軸側部材及び軸受け側部材を有して、前記枠体、及び前記戸体の上下部のそれぞれに具備されるピボットヒンジと、を備え、前記ピボットヒンジにより前記戸体がスイング式に開閉可能とされる開口部装置であって、
前記枠体は、上枠、下枠、及び左右の縦枠を有し、
前記戸体は、上框、下框、及び左右の縦框を有する框と該框の内側に配置されるパネルとを具備し、
前記縦枠のうち吊元側の縦枠に、見付方向内側に延在するように備えられた枠側反り防止片と、前記縦框のうち吊元側の縦框に、見付方向外側に延在するように備えられた框側反り防止片と、を有する反り防止手段を具備し、
前記戸体の閉鎖姿勢での正面視で、前記框側反り防止片及び前記枠側反り防止片は、少なくとも一部が重なっており、前記枠側反り防止片が前記框側反り防止片より室外側にある、開口部装置。
【発明の詳細な説明】
【技術分野】
【０００１】
本発明は建物の開口部に備えられる開口部装置に関し、詳しくは戸体の反りを防止する手段を備えた開口部装置に関する。
【背景技術】
【０００２】
建物開口部に備えられる開口部装置のうち、いわゆるピボットヒンジを用いており、これを軸として当該開口部装置の戸体をスイング式に開閉可能としたものがある。ここでピボットヒンジは通常、開口部装置の一方の縦枠側に寄せられるとともに、該開口部装置の上部、下部のそれぞれに１つずつ設けられている。
【０００３】
また、ピボットヒンジは、開口部装置の上下方向に平行な方向に延びるピボット軸を備えるピボット軸側部材と、当該ピボット軸を受ける軸受けを具備する軸受け側部材とを有しており、これらが連結されて一対となりヒンジの役割を果たしている。そして一対である部材の一方が開口部装置の枠に、他方が戸体に固定されることにより戸体の回動軸として機能する。
【０００４】
上述したように、ピボットヒンジを備えた開口部装置は、戸体の上下端に備えられたピボットヒンジによって戸体を固定している。そのため、戸体の高さ方向の中央寄りに備えられた丁番などのような部材によって戸体を固定している開口部装置に比べて、戸体を固定する上側の固定点と下側の固定点との距離が長くなる。したがって、戸体が反りやすいという問題があった。
【０００５】
そこで、このようなピボットヒンジを備えた開口部装置の戸体の反りを防止するための技術がこれまでに考えられており、例えば、特許文献１及び２にその一例が開示されている。
【先行技術文献】
【特許文献】
【０００６】
【特許文献１】特開２００８−３８３４６号公報
【特許文献２】特開２００２−３２２８６２号公報
【発明の概要】
【発明が解決しようとする課題】
【０００７】
しかしながら、特許文献１及び２に記載されている構造では、部品点数が増え、製造にかかる手間も増えるため、製造コストを低減させるという観点からは好ましくなかった。
【０００８】
そこで本発明はかかる問題点に鑑み、簡易な構造で、戸体が見込み方向に反ることを防止できる反り防止手段を備えた開口部装置を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１に記載の発明は、建物開口部の縁に沿って備えられる枠体（１０）と、該枠体の内側に配置される戸体（２０）と、互いに連結可能とされるピボット軸側部（３１、４１）材及び軸受け側部材（３２、４２）を有して、枠体、及び戸体の上下部のそれぞれに具備されるピボットヒンジ（３０、４０）と、を備え、ピボットヒンジにより戸体がスイング式に開閉可能とされる開口部装置（１００）であって、枠体は、上枠（１１）、下枠（１２）、及び左右の縦枠（１３、１４）を有し、戸体は、上框（２１）、下框（２２）、左右の縦框（２３、２４）、を有する框と該框の内側に配置されるパネル（２５）とを具備し、縦框のうち吊元側の縦框に、見付方向外側に延在するように備えられた框側反り防止片（２３ａ）と、縦枠のうち吊元側の縦枠に、見付方向内側に延在するように備えられた枠側反り防止片（１３ａ）と、を有する反り防止手段を具備し、戸体の閉鎖姿勢での正面視で、框側反り防止片及び枠側反り防止片は、少なくとも一部が重なっており、枠側反り防止片が框側反り防止片より室外側にある開口部装置を提供することにより前記課題を解決する。
【００１１】
ここで、「見付方向」とは全体として平板状である開口部装置の該平板状の平面に沿った方向を意味し、開口部装置が建物に取り付けられた姿勢では、建物開口部の開口面に沿った方向を意味する。また、「見付方向内側」とは、見付方向のうち、開口部装置の中央方向を意味する。したがって「見付方向外側」とは見付方向のうち、開口部から離れる方向を意味する。さらに、「見込み方向」とは全体として平板状である開口部装置の該平板状の厚さ方向を意味する。
【発明の効果】
【００１２】
本発明によれば、簡易な構造で、戸体が見込み方向に反ることを防止できる反り防止手段を備えた開口部装置を提供することができる。
【図面の簡単な説明】
【００１３】
【図１】１つの実施形態にかかる本発明の開口部装置の外観を概略的に示した図である。
【図２】図１に示した開口部装置のＩＩ−ＩＩ断面を概略的に示した図である。
【図３】図１に示した開口部装置のＩＩＩ−ＩＩＩ断面を概略的に示した図である。
【図４】図３に示した開口部装置を少し開放した姿勢を概略的に示した図である。
【図５】戸体の他の例を説明する断面図である。
【図６】戸体のさらに他の例を説明する断面図である。
【図７】図１において破線で囲った部分（Ｖ）を拡大して概略的に示した図である。
【図８】（ａ）は、図７にＡで示した矢印の方向から見た、軸受け側部材３２及び上枠１１の一部を概略的に示した図である。（ｂ）は、（ａ）のＶＩ−ＶＩ断面を概略的に示す図である。（ｃ）は、（ａ）のＶＩ’−ＶＩ’断面を概略的に示す図である。
【図９】（ａ）は、軸受け側部材３２を縦枠１３側に移動させて固定した姿勢、図９（ｂ）は、軸受け側部材３２を縦枠１４側に移動させて固定した姿勢を示している。
【図１０】図１において破線で囲った部分（ＶＩＩＩ）を拡大して概略的に示した図である。
【図１１】（ａ）は、図１０にＢで示した矢印の方向から見た、ピボット軸側部材４１及び下枠１２の一部を概略的に示した図である。（ｂ）は、（ａ）のＩＸ−ＩＸ断面を概略的に示す図である。
【図１２】（ａ）は、ピボット軸側部材４１を縦枠１３側に移動させて固定した姿勢、（ｂ）は、ピボット軸側部材４１を縦枠１４側に移動させて固定した姿勢を示している。
【図１３】固定部材４９が備えられる形態を概略的に示す図である。
【図１４】反り防止手段の他の形態例を概略的に示した図である。
【発明を実施するための形態】
【００１４】
本発明のこのような作用及び利得は、次に説明する発明を実施するための形態から明らかにされる。
【００１５】
以下、本発明を図面に示す実施形態に基づき説明する。ただし、本発明はこれら実施形態に限定されるものではない。
【００１６】
図１は１つの実施形態にかかる開口部装置１００の外観を概略的に示した図である。図２は、図１に示した開口部装置１００のＩＩ−ＩＩ断面を概略的に示した図である。図３は、図１に示した開口部装置１００のＩＩＩ−ＩＩＩ断面を概略的に示した図である。図４は、図３に示した開口部装置１００の戸体２０を少し開放した姿勢を概略的に示した図である。なお、図１においては、紙面手前が室内側、紙面奥が室外側であり、図２においては、紙面左側が室外側、紙面右側が室内側であり、図３及び４においては、紙面上側が室外側、紙面下側が室内側である。以下、図１〜４及び適宜示す図を参照しつつ、開口部装置１００について説明する。
【００１７】
開口部装置１００は、建物開口部の縁に沿って備えられる枠体１０と、該枠体１０の内側に配置される戸体２０と、該枠体１０及び該戸体２０を、戸体２０がスイング式に開閉可能となるように固定するピボットヒンジ３０、４０と、を備え、さらに、枠側反り防止片１３ａ及び框側反り防止片２３ａを有する反り防止手段を具備している。以下に、これらの各構成について詳細に説明する。
【００１８】
＜枠体１０＞
枠体１０は、建物開口部の縁に沿って配置される枠状体であり、上横枠１１、下横枠１２、縦枠１３、及び縦枠１４が枠状に組み合わされて形成されている。
【００１９】
縦枠１３及び縦枠１４のうち、吊元側である縦枠１３には、見付方向内側に延在するように枠側反り防止片１３ａが備えられている。該枠側反り防止片１３ａの構成及び機能については後に詳述する。
【００２０】
枠体１０は、縦枠１３に枠側反り防止片１３ａが備えられている以外は、ピボットヒンジを備える通常の開口部装置と同様のものを用いることができ、特に限定されることはない。
【００２１】
＜戸体２０＞
戸体２０は、枠体１０の内側に配置される戸体であり、ピボットヒンジ３０、４０により、その縦辺のうちの一方側（吊元側）が枠体１０に連結されている。したがって、戸体２０は、ピボットヒンジ３０、４０を軸として、図３（閉鎖姿勢）及び図４（開放姿勢）に示すように、スイング式に開閉することができる。
【００２２】
戸体２０は、図２及び図３からわかるように、上横框２１、下横框２２、縦框２３、２４を方形に組み、その区画内にパネル（例えば、ガラスパネル）２５を装着して構成されている。
【００２３】
本実施形態では、パネル２５として、２枚のガラス２５ａ、２５ｂの間にスペーサー２６、２６、…を挟持した複層ガラスパネルを例示しているが、単層ガラスパネルでも構わない。ただし、断熱性を向上させるという観点からは、複層ガラスパネルの方が好ましい。
【００２４】
また、本実施形態において、パネル２５と框２１、２２、２３、２４とは接着手段により接着されている。すなわち、框２１、２２、２３、２４が、パネル２５の外周に沿ってパネル２５の端部及び端面を覆うように設けられ、パネル２５が框２１、２２、２３、２４に覆われた部分の少なくとも一部で、パネル２５と框２１、２２、２３、２４とが接着手段（不図示）により接着されている。これにより框２１、２２、２３、２４の見付方向の寸法を小さくすることが可能であり、パネル２５の見付方向の寸法を大きくすることできる。したがって、パネル２５がガラスパネルである場合、採光面積を大きくすることができる。
【００２５】
また、縦框２３及び縦框２４のうち、吊元側である縦框２３には、見付方向外側に延在するように框側反り防止片２３ａが備えられている。該框側反り防止片２３ａの構成及び機能については後に詳述する。
【００２６】
本実施形態ではパネルと框との連結を上記のように接着手段によるものとしたが、これに限定されるものではなく、必要に応じて他の形態を適用することもできる。図５及び図６には他の例の開口部装置のうち、戸体２０’及び戸体２０’’を示した。各図において、（ａ）は図２に相当する図（垂直方向断面図）であり、（ｂ）は図３に相当する図（水平方向断面図）である。
【００２７】
戸体２０’では、図５からわかるように、上横框２１’、下横框２２’、縦框２３’、２４’を方形に組み、その区画内にパネル（例えば、ガラスパネル）２５’を装着して構成されている。本実施形態では、パネル２５’として、２枚のガラス２５ａ’、２５ｂ’の間にスペーサー２６’、２６’、…を挟持した複層ガラスパネルを例示している。
【００２８】
本実施形態において、パネル２５’と框２１’、２２’、２３’、２４’とはグレージングチャンネル２７’、２７’、…を介して連結されている。このように通常の開口部装置のようにグレージングチャンネルを適用したものでもよい。
【００２９】
戸体２０”では、図６からわかるように、上横框２１”、下横框２２”、縦框２３”、２４”を方形に組み、その区画内にパネル（例えば、ガラスパネル）２５”を装着して構成されている。本実施形態では、パネル２５”として、２枚のガラス２５ａ”、２５ｂ”の間にスペーサー２６”、２６”、…を挟持した複層ガラスパネルを例示している。
【００３０】
本実施形態において、パネル２５”と框２１”、２２”、２３”、２４”とはグレージングチャンネル２７”、２７”、…を介して連結されている。このように通常の開口部装置のようにグレージングチャンネルを適用したものでもよい。
また、上横框２１”、下横框２２”、縦框２３”、２４”はそれぞれ、室外側の部材である室外側部材２１ａ”、２２ａ”、２３ａ”、２４ａ”と室内側の部材である室内側部材２１ｂ”、２２ｂ”、２３ｂ”、２４ｂ”とが組み合わされて形成されている。図８では、分かり易さのため室内側部材２１ｂ”、２２ｂ”、２３ｂ”、２４ｂ”にハッチングを施した。室外側部材２１ａ”、２２ａ”、２３ａ”、２４ａ”がアルミニウム等の強度が高い部材で構成され、室内側部材２１ｂ”、２２ｂ”、２３ｂ”、２４ｂ”が樹脂等の断熱性能の高い部材で構成されている。これにより、断熱性の高い開口部装置を提供することができる。
【００３１】
＜ピボットヒンジ３０＞
ピボットヒンジ３０は、図２に示すように、ピボット軸側部材３１及び軸受け側部材３２を備えている。ピボット軸側部材３１は戸体２０の吊元側の上部に内蔵されており、ピボット軸側部材３１に備えられたピボット軸３１ａが戸体２０の上部から突出している。ピボット軸側部材３１の取り付け方法は特に限定されず、従来の公知の方法を用いて取り付けることができる。一方、軸受け側部材３２は、以下に説明するように、上枠１１の吊元側の端部に、見付方向及び見込み方向に移動可能なように取り付けられていることが好ましい。かかる形態とすることによって、枠体１０に対する戸体２０の相対的位置の微調整を容易に行うことができる。以下に、図７〜図９を参照しつつ、軸受け側部材３２の構成及び取り付け方法について説明する。
【００３２】
図７は、図１において破線で囲った部分（Ｖ）を拡大して概略的に示した図である。図８（ａ）は、図７に示したＡで示した矢印の方向から見た、軸受け側部材３２及び上枠１１の一部を概略的に示した図であり、紙面奥／手前方向が開口部装置１００の上下方向、紙面上側が室外側、紙面下側が室内側である。図８（ｂ）は、図８（ａ）のＶＩ−ＶＩ断面を概略的に示す図であり、紙面上下方向が開口部装置１００の上下方向である。図８（ｃ）は、図８（ａ）のＶＩ’−ＶＩ’断面を概略的に示す図であり、紙面上下方向が開口部装置１００の上下方向、紙面左側が室外側、紙面右側が室内側である。図９（ａ）及び図９（ｂ）は、それぞれ図８（ａ）に対応しており、図９（ａ）は軸受け側部材３２を縦枠１３側に移動させて固定した姿勢を示しており、図９（ｂ）は軸受け側部材３２を縦枠１４側に移動させて固定した姿勢を示している。
【００３３】
軸受け側部材３２は、図８（ａ）及び図８（ｃ）に示すように、上枠１１に当接するとともに上枠１１の長手方向に沿って延在する第一片３２ａと、該第一片３２ａの室外側の辺の縦枠１３側の端部において見付方向内側に延在する第二片３２ｂと、該第二片３２ｂの端部から見込み方向の室外側に延在する第三片３２ｃとを有する。第一片３２ａには、ピボット軸側部材３１に備えられる略円柱状体のピボット軸３１ａの外径と略同一の大きさの径を有する略円形の孔３２ｄが設けられるとともに、第三片３２ｃには、ピボット軸３１ａの外径と略同一の大きさの径を有する略円形の孔３２ｅが設けられており、ピボット軸３１ａの中心軸上に、孔３２ｄ及び孔３２ｅの中心が存在する。したがって、孔３２
ｄ及び孔３２ｅが軸受けを構成し、孔３２ｄ及び孔３２ｅにピボット軸３１ａを通すことによって、ピボット軸３１ａを回動自在とすることができる。
【００３４】
また、図８（ｂ）に示すように、上枠１１の内側の面（軸受け側部材３２の第一片３２ａが当接する側とは反対側の面）には、裏板３３が備えられており、後に説明するように、該裏板３３を用いて軸受け側部材３２の位置を固定することができる。裏板３３は、固定部材（例えば、ネジ。以下、「ネジ」を用いた形態について説明する。）３４、３６によって、位置が固定されている。
【００３５】
ネジ３４は、第一片３２ａに設けられた孔３２ｆと上枠１１に設けられた孔１１ｆを通って、ネジ部が裏板３３に設けられたネジ孔３３ｆと螺合している。孔３２ｆの大きさは、ネジ３４のネジ頭より大きく、かつ、後に説明するように軸受け側部材３２を見付方向及び見込み方向に移動させる際に孔３２ｆの縁とネジ３４のネジ頭とが当たって軸受け側部材３２の移動を妨げることがない大きさであれば、特に限定されない。孔１１ｆの大きさは、ネジ３４のネジ部より大きく、ネジ３４のネジ頭より小さい大きさであれば、特に限定されない。ただし、図示した形態ではワッシャを用いていないが、ワッシャを用いた場合には、該ワッシャの大きさを考慮して孔３２ｆ及び孔１１ｆの大きさを決める必要がある。具体的には、孔３２ｆの大きさは、ワッシャより大きく、かつ、軸受け側部材３２を見付方向及び見込み方向に移動させる際に孔３２ｆの縁とワッシャとが当たって軸受け側部材３２の移動を妨げることがない大きさとし、孔１１ｆの大きさは、ネジ３４のネジ部より大きく、ワッシャより小さい大きさとする。
【００３６】
ネジ３６及びネジ３４と、孔３２ｈ及び孔３２ｆと、孔１１ｈ及び孔１１ｆと、ネジ孔３３ｈ及びネジ孔３３ｆとは、それぞれ同様の構成であるため、説明を省略する。
【００３７】
これまでの開口部装置１００の説明では、裏板３３をネジ３４及びネジ３６で固定する形態について説明したが、裏板３３の固定方法はかかる形態に限定されず、裏板３３と軸受け側部材３２とで上枠１１を挟んだ姿勢で、裏板３３を上枠１１に固定できる方法であればよい。
【００３８】
次に、軸受け側部材３２を、見付方向及び見込み方向に移動可能なように、上枠１１に取り付ける方法について説明する。
【００３９】
軸受け側部材３２は、固定部材（例えば、ネジ。以下、「ネジ」を用いた形態について説明する。）３５及び３７によって、位置が固定されている。
【００４０】
ネジ３５は、第一片３２ａに設けられた孔３２ｇと上枠１１に設けられた孔１１ｇにネジ部を通して、該ネジ部が裏板３３に設けられたネジ孔３３ｇと螺合されている。そして、ネジ３５のネジ頭及び第一片３２ａの間に備えられたワッシャ３５ａと、（上枠１１を介して）裏板３３とで第一片３２ａを挟持して、軸受け側部材３２の位置を固定している。孔３２ｇの大きさは、ワッシャ３５ａより小さくければ、特に限定されない。孔１１ｇの大きさは、ネジ３５のネジ部が通る大きさであれば、特に限定されない。ワッシャ３５ａはバネワッシャであることが好ましい。ワッシャ３５ａをバネワッシャにすることによって、ネジ３５の緩みを防止することができる。
【００４１】
ネジ３７及びネジ３５と、孔３２ｉ及び孔３２ｇと、孔１１ｉ及び孔１１ｇと、ネジ孔３３ｉ及びネジ孔３３ｇと、ワッシャ３７ａ及びワッシャ３５ａとは、それぞれ同様の構成であるため、説明を省略する。
【００４２】
ネジ３５及びネジ３７を緩めると、ネジ３５（３７）の軸部と孔３５ｇ（３５ｉ）との間に形成される遊びの分だけ軸受け側部材３２を見付方向及び見込み方向に移動させることができる。具体的には、図９（ａ）に示すように、ネジ３５（３７）のネジ部が孔３２ｇ（３２ｉ）の縦枠１３側の縁に当接するまで、軸受け側部材３２を縦枠１３側に移動させることが可能であり、図９（ｂ）に示すように、ネジ３５（３７）のネジ部が孔３２ｇ（３２ｉ）の縦枠１４側の縁に当接するまで、軸受け側部材３２を縦枠１４側に移動させることが可能である。軸受け側部材３２を見込み方向に移動させる際も同様である。
【００４３】
これまでの開口部装置１００の説明では、ワッシャ３５ａ（３７ａ）を備える形態について説明したが、かかる形態に限定されず、ワッシャ３５ａ（３７ａ）を介さずに、ネジ３５のネジ頭と（上枠１１を介して）裏板３３とで第一片３２ａを挟持して、軸受け側部材３２の位置を固定することもできる。ただし、ワッシャ３５ａ（３７ａ）を用いない場合には、孔３２ｇ（３２ｉ）の大きさを、ネジ３５（３７）のネジ頭の大きさより小さくしなければならず、ネジ３５（３７）のネジ部と孔３２ｇ（３２ｉ）との間に形成される遊びの大きさが小さくなるため、軸受け側部材３２を移動させることができる範囲が小さくなる。
【００４４】
ネジ３５及びネジ３７は、戸体２０を開放することで露出する。したがって、戸体２０を枠体１０から取り外すことなくネジ３５及びネジ３７を緩めて軸受け側部材３２の位置を調整することができる。戸体２０を開放した際にネジ３５及びネジ３７を露出しやすくさせるという観点からは、戸体２０が開放される際に戸体２０が進む方向と反対側の端に寄せてネジ３５（孔３２ｇ）を備えさせることが好ましい。また、戸体２０を閉鎖することでネジ３５及びネジ３７を隠せるため、防犯性の向上を図れる。
【００４５】
上記ピボットヒンジ３０の説明では、ピボット軸側部材３１が戸体２０の吊元側の上部に取り付けられ、軸受け側部材３２が上枠１１の吊元側の端部に、見付方向及び見込み方向に移動可能なように取り付けられている形態について説明したが、本発明の開口部装置はかかる形態に限定されず、軸受け側部材が戸体の吊元側の上部に取り付けられ、ピボット軸側部材が上枠の吊元側の端部に、見付方向及び見込み方向に移動可能なように取り付けられても良い。この場合の軸受け側部材の取り付け方法は従来の公知の方法を用いることができ、ピボット軸側部材の取り付け方法は、上記した軸受け側部材３２の取り付け方法と同様である。
【００４６】
＜ピボットヒンジ４０＞
ピボットヒンジ４０は、図２に示すように、ピボット軸側部材４１及び軸受け側部材４２を備えている。軸受け側部材４２は戸体２０の吊元側の下部に内蔵されており、その取り付け方法は特に限定されず、従来の公知の方法を用いて取り付けることができる。一方、ピボット軸側部材４１は、以下に説明するように、下枠１２の吊元側の端部に、見付方向及び見込み方向に移動可能なように取り付けられていることが好ましい。かかる形態とすることによって、枠体１０に対する戸体２０の相対的位置の微調整を容易に行える。以下に、図１０〜図１２を参照しつつ、ピボット軸側部材４１の構成及び取り付け方法について説明する。
【００４７】
図１０は、図１において破線で囲った部分（ＶＩＩＩ）を拡大して概略的に示した図である。図１１（ａ）は、図１０にＢで示した矢印の方向から見た、ピボット軸側部材４１及び下枠１２の一部を概略的に示した図であり、紙面手前／奥方向が開口部装置１００の上下方向、紙面上側が室外側、紙面下側が室内側である。図１１（ｂ）は、図１１（ａ）のＩＸ−ＩＸ断面を概略的に示す図であり、紙面上下方向が開口部装置１００の上下方向である。図１２（ａ）及び図１２（ｂ）は、それぞれ図１１（ａ）に対応しており、図１２（ａ）はピボット軸側部材４１を縦枠１３側に移動させて固定した姿勢を示しており、図１２（ｂ）はピボット軸側部材４１を縦枠１４側に移動させて固定した姿勢を示している。
【００４８】
ピボット軸側部材４１は、下枠１２に当接する固定部４１ｂと、固定部４１ｂから戸体２０側に突設された略円柱状体のピボット軸４１ａを備えている。一方、軸受け側部材４２には、下枠１２側に開口しており、ピボット軸４１ａの外径と略同一の大きさの内径を有する軸受け部４２ａ（図１０参照）が設けられており、ピボット軸４１ａを軸受け部４２ａに挿入することによって、ピボット軸４１ａを回動自在にすることができる。
【００４９】
図１１に示すように、ピボット軸側部材４１は、固定部材（例えば、ネジ。以下、「ネジ」を用いた形態について説明する。）４４、４５、４６、４７と、下枠１２の内側の面（ピボット軸側部材４１の固定部４１ｂが当接する側とは反対側の面）に備えられている裏板４３（図１１（ｂ）参照）とによって位置が固定されている。
【００５０】
ネジ４４、４５、４６、４７は構成が同様であるため、ネジ４７についてのみ以下に説明する。ネジ４７は、皿ネジであることが好ましい。ネジ４７を皿ネジとすることによって、固定部４１ｂの上面に突出した部分をなくすことができる。ネジ４７は、固定部４１ｂに設けられた孔４１ｃと下枠１２に設けられた孔１２ｃを通って、ネジ部が裏板４３に設けられたネジ孔４３ｃと螺合されている。そして、ネジ４７のネジ頭で固定部４１ｂを下枠１２側に押し付けることで、ピボット軸側部材４１の位置を固定している。ネジ４７が皿ネジである場合、孔４１ｃは、ネジ４７のネジ頭に沿った形状に形成することが好ましい。ネジ４７としてその他の形状のネジを用いる場合は、孔４１ｃはネジ４７のネジ頭より小さい大きさであればよい。孔１２ｃの大きさは、ネジ４７のネジ部より大きければ特に限定されない。ただし、後述するように、孔１２ｃの大きさはピボット軸側部材４１を見付方向及び見込み方向に移動させることができる範囲に影響する。
【００５１】
ネジ４４、４５、４６、４７を締めることでピボット軸側部材４１を固定できる一方、ネジ４４、４５、４６、４７を緩めることによって、それらのネジのネジ部と下枠１２に形成された孔との間に形成される遊びの分だけピボット軸側部材４１を見付方向及び見込み方向に移動させることができる。具体的には、図１２（ａ）に示すように、ネジ４７のネジ部が孔１２ｃの縦枠１３側の縁に当接するまで、ピボット軸側部材４１を縦枠１３側に移動させることが可能であり、図１２（ｂ）に示すように、ネジ４７のネジ部が孔１２ｃの縦枠１４側の縁に当接するまで、ピボット軸側部材４１を縦枠１４側に移動させることが可能である。ピボット軸側部材４１を見込み方向に移動させる際も同様である。
【００５２】
ネジ４４、４５、４６、４７は、戸体２０を開放することで露出する。したがって、戸体２０を枠体１０から取り外すことなくネジ４４、４５、４６、４７を緩めてピボット軸側部材４１の位置を調整することができる。また、戸体２０を閉鎖することでネジ４４、４５、４６、４７を隠せるため、防犯性の向上を図れる。
【００５３】
さらに、ピボット軸４１ａには戸体２０の高さを調整できる高さ調整部材４８が備えられていることが好ましい。具体的には、ピボット軸４１ａの下枠１２側にネジを切り、該ピボット軸４１ａに高さ調整部材（ナット）４８を螺合させることで、戸体２０の高さを調整することができる。すなわち、ピボット軸４１ａを軸受け部４２ａに挿入した際に、戸体２０の一部がナット４８の上面に当接するようにすれば、ナット４８を回動させて、ナット４８のピボット軸４１ａに対する相対的な位置を上下させることによって、戸体２０の高さを上下させることができる。戸体２０側のナット４８に当接する部分は、摺動性が良い部材で構成することが好ましい。
【００５４】
ナット４８は戸体２０を開放した姿勢において露出しているため、戸体２０を枠体１０から取り外すことなく戸体２０の高さを調整することができる。
【００５５】
また、ナット４８を設ける形態とする場合、図１３に示すように、ナット４８の位置を固定する固定具４９が下枠１２に固定されていることが好ましい。図１３は固定具４９が備えられる形態を概略的に示す図である。図１３（ａ）は図１１（ａ）に対応する図であり、図１３（ｂ）は図１３（ａ）のＸＩ−ＸＩ断面を概略的に示した図である。
【００５６】
固定具４９は一方の先端部がナット４８に係合しており、他方が固定部材（例えば、ネジ。）５０によって下枠１２に固定されている。そのため、ナット４８の回動を抑え、ナット４８の位置を固定することができる。また、ナット４８を回動させる際には、ネジ５０を下枠１２から外し、固定具４９の一方の端をナット４８に係合させたまま他方の端を持って操作することで、ナット４８を回動させることができる。
【００５７】
上記ピボットヒンジ４０の説明では、軸受け側部材４２が戸体２０の吊元側の下部に取り付けられており、ピボット軸側部材４１が下枠１２の吊元側の端部に、見付方向及び見込み方向に移動可能なように取り付けられている形態について説明したが、かかる形態に限定されず、ピボット軸側部材が戸体の吊元側の下部に取り付けられ、軸受け側部材が下枠の吊元側の端部に、見付方向及び見込み方向に移動可能なように取り付けられても良い。この場合のピボット軸側部材の取り付け方法は従来の公知の方法を用いることができ、軸受け側部材の取り付け方法は、上記したピボット軸側部材４１の取り付け方法と同様である。
【００５８】
これまでの開口部装置１００の説明では、上枠１１に具備される軸受け側部材３２及び下枠１２に具備されるピボット軸側部材４１が異なる方法によって取り付けられる形態について説明したがかかる形態に限定されない。すなわち、枠体に具備されるピボット軸側部材又は軸受け側部材が、見込み方向及び見付方向に移動可能なように上枠及び下枠に取り付けられていれば良く、上枠に取り付けられるピボット軸側部材又は軸受け側部材及び下枠に取り付けられるピボット軸側部材又は軸受け側部材の両者が、上記した軸受け側部材３２と同様の方法又はピボット軸側部材４１と同様の方法によって取り付けられていてもよい。
【００５９】
＜反り防止手段＞
開口部装置１００は反り防止手段を備えており、該反り防止手段は、上記した枠側反り防止片１３ａ及び框側反り防止片２３ａを有する。
【００６０】
開口部装置１００は、戸体２０の上下端に備えられたピボットヒンジ３０、４０によって戸体２０を固定している。そのため、戸体２０を固定する上側の固定点と下側の固定点との距離が長くなり、戸体２０が反る場合があった。例えば、開口部装置１００が屋内外の仕切りとして用いられれば、耐風圧による負圧によって、戸体２０を見込み方向に反らす方向に力が働く。しかしながら、開口部装置１００には、反り防止手段が備えられていることによって、その反りを抑制することができる。より具体的には、屋内側から屋外側に押す力が戸体２０に働いた場合、框側反り防止片２３ａが枠側反り防止片１３ａに当接し、戸体２０が見込み方向に反ることを抑制できる。
【００６１】
このように、開口部装置１００では、縦枠１３に備えられた枠側反り防止片１３ａ、及び縦框２３に備えられた框側反り防止片２３ａを有する反り防止手段によって戸体２０の反りを抑制することができるため、框２１、２２、２３、２４を太くするなどして補強しなくても、戸体２０の反りを防止することができる。したがって、框２１、２２、２３、２４が、パネル２５の外周に沿ってパネル２５の端部及び端面を覆うように設けられ、パネル２５が框２１、２２、２３、２４に覆われた部分の少なくとも一部で、パネル２５と框２１、２２、２３、２４とが接着手段により接着させることで框２１、２２、２３、２４の見付方向の寸法を小さくしたような場合であっても、戸体２０の反りを抑制することができる。
【００６２】
戸体２０を屋外側に押す力が働いた際に、框側反り防止片２３ａと枠側反り防止片１３ａとが当接しなければならないため、枠側反り防止片１３ａ及び框側反り防止片２３ａは、戸体２０の閉鎖姿勢での屋外側からの正面視において、枠側反り防止片１３ａが框側反り防止片２３ａより手前になるように備えられているとともに、枠側反り防止片１３ａ及び框側反り防止片２３ａの一部が互いに重なるように備えられている。戸体２０の閉鎖姿勢での屋外側からの正面視において、枠側反り防止片１３ａ及び框側反り防止片２３ａが重なっている部分の水平方向の長さは、戸体２０の開閉に支障をきたさない長さであって、２ｍｍ以上であることが好ましい。該長さが短くなり過ぎれば、戸体２０の反りを防止する効果が少なくなる傾向にある。また、戸体２０の閉鎖姿勢での屋外側からの正面視において枠側反り防止片１３ａ及び框側反り防止片２３ａが重なっている部分での枠側反り防止片１３ａ及び框側反り防止片２３ａの見込み方向の距離は、戸体２０の開閉に支障をきたさない距離であって、１０ｍｍ以下であることが好ましい。該距離が長くなり過ぎれば、戸体２０の反りを防止する効果が少なくなる傾向にある。
【００６３】
さらに、屋外側からの正面視において、枠側反り防止片１３ａ及び框側反り防止片２３ａが重なるように備えられていることによって、戸体２０及び枠体１０の間が枠側反り防止片１３ａ及び框側反り防止片２３ａによって塞がれるため、断熱性を向上させるとともに、意匠性や防犯性も向上させることができる。
【００６４】
枠側反り防止片１３ａは、縦枠１３の長手方向に沿って連続的に延在していても良く、断続的に複数備えられていても良い。一方、框側反り防止片２３ａは、縦框２３の長手方向に沿って連続的に延在していても良く、断続的に複数備えられていても良い。ただし、生産性の観点からは、枠側反り防止片１３ａは、縦枠１３の長手方向に沿って連続的に延在していることが好ましく、框側反り防止片２３ａは、縦框２３の長手方向に沿って連続的に延在していていることが好ましい。
【００６５】
また、戸体２０を屋外側に押す力が働いた際、戸体２０の高さ方向の中央部が最も屋外側に移動することになるため、枠側反り防止片１３ａは少なくとも縦枠１３の長手方向の略中央部に備えられていることが好ましく、框側反り防止片２３ａは少なくとも縦框２３の長手方向の略中央部に備えられていることが好ましい。
【００６６】
さらに、枠側反り防止片１３ａは、縦枠１３と別体の部材として作製して縦枠１３に取り付けても良いが、生産性などの観点から、縦枠１３と一体の部材として押し出し成形して作製されることが好ましい。一方、框側反り防止片２３ａは、縦框２３と別体の部材として作製して縦框２３に取り付けても良いが、生産性などの観点から、縦框２３と一体の部材として押し出し成形して作製されることが好ましい。
【００６７】
図３及び図４では、枠側反り防止片１３ａ及び框側反り防止片２３ａの水平方向断面の形状がそれぞれ略直線状となる形態を例示しているが、反り防止手段はかかる形態に限定されるのもではない。枠側反り防止片及び框側反り防止片は、戸体の閉鎖姿勢での屋外側からの正面視において、枠側反り防止片が框側反り防止片より手前になるように備えられているとともに、枠側反り防止片及び框側反り防止片の一部が互いに重なるように備えられており、戸体の開閉に支障をきたさない形状であれば、特に限定されない。したがって、例えば、図１４に示すような形態も考えられる。図１４は、反り防止手段の他の形態例を概略的に示す図であり、図３において破線で囲った部分に対応する図である。
【００６８】
図１４（ａ）に示すように、反り防止手段は、縦枠１３から見付方向内側に延在する第一片１３ｂ及び該第一片１３ｂの端部から見込み方向の屋内側に延在する第二片１３ｃを備える枠側反り防止片と、縦框２３から見付方向外側に延在する第一片２３ｂ及び該第一片２３ｂの端部から見込み方向の屋外側に延在する第二片２３ｃを備える框側反り防止片とを有する形態であっても良い。かかる形態とすれば、戸体の見付方向の反りも抑制することができる。また、図１４（ｂ）に示すように、縦枠１３から湾曲しつつ見付方向内側に延在する枠側反り防止片１３ｄ、及び縦框２３から湾曲しつつ見付方向外側に延在する枠側反り防止片２３ｄを有する形態であっても良い。
【００６９】
本実施形態では、戸体に備えられるパネルは固定されるいわゆる嵌め殺しの形態であったが、これに限定されるものではなく、例えばパネルが上げ下げ式に開閉可能である採風勝手口ドアにも適用することができる。
【００７０】
以上、現時点において最も実践的であり、かつ、好ましいと思われる実施形態に関連して本発明を説明したが、本発明は本願明細書中に開示された実施形態に限定されるものではなく、請求の範囲及び明細書全体から読み取れる発明の要旨或いは思想に反しない範囲で適宜変更可能であり、そのような変更を伴う開口部装置も本発明の技術的範囲に包含されるものとして理解されなければならない。
【符号の説明】
【００７１】
１０  枠体
１１  上横枠
１２  下横枠
１３  縦枠
１３ａ  枠側反り防止片
１４  縦枠
２０  戸体
２１  上横框
２２  下横框
２３  縦框
２３ａ  框側反り防止片
２４  縦框
２５  パネル
３０  ピボットヒンジ
３１  ピボット軸側部材
３２  軸受け側部材
４０  ピボットヒンジ
４１  ピボット軸側部材
４２  軸受け側部材
【図１】
2010222963.tif 000003
【図２】
2010222963.tif 000004
【図３】
2010222963.tif 000005
【図４】
2010222963.tif 000006
【図５】
2010222963.tif 000007
【図６】
2010222963.tif 000008
【図７】
2010222963.tif 000009
【図８】
2010222963.tif 000010
【図９】
2010222963.tif 000011
【図１０】
2010222963.tif 000012
【図１１】
2010222963.tif 000013
【図１２】
2010222963.tif 000014
【図１３】
2010222963.tif 000015
【図１４】
2010222963.tif 000016